(57)【要約】【課題】微弱無線あるいは小電力設備のＡＳＫ/ＦＳＫ受信装置を構成するとき、受信感度を向上して通信範囲を拡大することができる受信装置を提供する。【解決手段】受信装置１１０のＳＡＷバンドパスフィルタ２ａと検波ＩＣ７の高周波入力回路間に、バラクタダイオードＶＣ１とインダクタンスＬ２とキャパシタＣ２とから成るインピダンスマッチング回路を構成する。また、図示しない中間増幅回路のＲＳＳＩ出力端にレベル検出回路８を接続し、アンテナ入力回路端より一定レベルの高周波信号を入力した状態で、レベル検出回路８でＲＳＳＩ出力レベルをモニタしつつバラクタダイオードＶＣ１に印加する制御電圧を変化させて、前記ＲＳＳＩ回路出力レベルが最大となる制御電圧を前記メモリ９に記憶させる。受信装置１１０の動作開始と同時に、前記メモリ９に記憶された制御電圧を、抵抗Ｒ１を介して前記バラクタダイオードＶＣ１に印加する。【選択図】図１
2006217020.tif 000002
【特許請求の範囲】
【請求項１】
アンテナと、高周波バンドパスフィルタを含む高周波入力回路と、高周波増幅回路と、局部発振回路を含む周波数変換部と、中間周波バンドパスフィルタと、ＲＳＳＩ回路を備えた中間周波増幅回路と、ディスクリミネータを含む検波回路と、検波用ローパスフィルタと、コンパレータと、で構成されるＡＳＫ／ＦＳＫ対応の受信装置であって、
前記高周波バンドパスフィルタと高周波増幅回路間に可変容量ダイオードを含むキャパシタとインダクタとによって構成されるインピーダンスマッチング回路を備え、且つ、高周波入力回路に一定レベルの信号を加えて前記ＲＳＳＩ回路の出力レベルが最大となるときの前記可変容量ダイオードに印加する制御電圧を記憶したメモリを備えたことを特徴とするＡＳＫ／ＦＳＫ対応の受信装置。
【請求項２】
前記ＡＳＫ／ＦＳＫ対応の受信装置の動作開始時に、前記メモリに記憶された制御電圧を前記可変容量ダイオードに印加するよう構成したことを特徴とする請求項１に記載のＡＳＫ／ＦＳＫ対応の受信装置。
【請求項３】
アンテナと、高周波バンドパスフィルタを含む高周波入力回路と、高周波増幅回路と、局部発振回路を含む周波数変換部と、中間周波バンドパスフィルタと、ＲＳＳＩ回路を備えた中間周波増幅回路と、ディスクリミネータを含む検波回路と、検波用ローパスフィルタと、コンパレータと、で構成されるＦＭ／ＦＳＫ対応の受信装置であって、
前記局部発振回路の発振回路容量成分として可変容量ダイオードを備えたものであって、且つ、高周波入力回路に一定レベルの信号を加えて前記ＲＳＳＩ回路の出力レベルが最大となるときの前記可変容量ダイオードに印加する制御電圧を記憶したメモリを備ええたことを特徴とするＡＳＫ／ＦＳＫ対応の受信装置。
【請求項４】
前記ＡＳＫ／ＦＳＫ対応の受信装置の動作開始時に、前記メモリに記憶された制御電圧を前記可変容量ダイオードに印加するよう構成したことを特徴とする請求３に記載のＡＳＫ／ＦＳＫ対応の受信装置。
【請求項５】
アンテナと、高周波バンドパスフィルタを含む高周波入力回路と、高周波増幅回路と、局部発振回路を含む周波数変換部と、中間周波バンドパスフィルタと、ＲＳＳＩ回路を備えた中間周波増幅回路と、ディスクリミネータを含む検波回路と、アクティブフィルタで構成される検波用ローパスフィルタと、コンパレータと、で構成されるＡＳＫ／ＦＳＫ対応の受信装置であって、
前記検波用ローパスフィルタを構成するキャパシタのそれぞれに切換器を介して並列接続される他のキャパシタを備え、前記ＲＳＳＩ回路出力レベルが所定のレベルを越えた場合は、前記切換器を閉回路とする駆動電圧を印加して前記のそれぞれの他のキャパシタを接続するように構成したことを特徴とするＡＳＫ／ＦＳＫ対応の受信装置。
【発明の詳細な説明】
【技術分野】
【０００１】
本発明は、微弱無線あるいは小電力設備の受信装置に関し、特にＲＳＳＩ出力を参照して各部回路定数のばらつきを補正することによって受信感度を改善したＦＭ/ＦＳＫ受信装置に関する。
【背景技術】
【０００２】
従来より、微弱無線あるいは小電力無線による近距離のＦＭ音声通信、ＡＳＫ/ＦＳＫデータ通信は、無線局の運用のための周波数の使用に免許が不要で、且つ低コストで通信システムを構成できる等の利点から、アナログのコードレス電話、ワイヤレススピーカ、ゲーム機等の広い分野で用いられている。
図４は、従来のＦＳＫに対応した受信装置の一例を示す構成概要図である。同図（ａ）に示すように、本受信装置１００は、アンテナ１と、ＳＡＷフィルタ２ａと図示しないインピダンスマッチング回路とから成る高周波入力回路２と、高周波増幅回路３と、ミキサ４ａと周波数逓倍部４ｂと局部発振器４ｃとから成る周波数変換部４と、ＩＦバンドパスフィルタ５ａとＩＦリミッタアンプ５ｂとＲＳＳＩ回路５ｃとから成るＩＦ増幅部５と、検波部６ａとディスクリミネータ回路６ｂと図示しないフィルタアンプ及びＣＲ回路より成る検波用ローパスフィルタ６ｃとコンパレータ６ｄとから成る検波出力部６と、で構成される。
【０００３】
同図において、アンテナ１で受信された受信電波は、高周波入力回路２のＳＡＷフィルタ２ａで所定の周波数帯域が選択され、高周波増幅回路３でレベル増幅されて周波数変換部４のミキサ４ａの一方の入力端に出力される。
前記ミキサ４ａのもう一方の入力端には、周波数逓倍部４ｂで所定の周波数に逓倍された局部発振器４ｃの発振出力が入力する。
ミキサ４ａにおいて周波数逓倍部４ｂ出力信号と周波数混合されて所定の中間周波数に変換された受信波（以下、ＩＦ受信波という）は、ＩＦ増幅部５のＩＦバンドパスフィルタ５ａに出力される。
【０００４】
前記ＩＦバンドパスフィルタ５ａで不要波が除去されたＩＦ受信波は、ＩＦリミッタアンプ５ｂにおいて所定のレベルに増幅されて検波出力部６に出力される。
検波出力部６に入力したＩＦ受信波は、検波部６ａにおいてディスクリミネータ回路６ｂを移相回路とした検波が行われる。
検波部６ａの検波出力は、検波用ローパスフィルタ回路６ｃで高周波成分が除去されてコンパレータ６ｄに出力され、このコンパレータ６ｄにおいて波形成形されて図のＤＡＴＡ-ＯＵＴ端より復調信号が取り出される。また、前記検波出力信号は、図のＡＦ-ＯＵＴ端より直接取り出すことができる。
前記ＩＦリミッタアンプ５ｂの他の出力端からは、ＲＳＳＩ回路５ｃを介してＩＦリミッタアンプ５ｂ入力レベルに対応した直流電圧が、図のＲＳＳＩ-ＯＵＴ端より取り出すことができる。
【０００５】
上記構成の受信装置１００は小型化のために、例えば、図の高周波増幅回路３、ミキサ４ａ、周波数逓倍部４ｂ、ＩＦリミッタアンプ５ｂ、ＲＳＳＩ回路５ｃ、検波部６ａ、検波用ローパスフィルタ回路６ｃに含まれる図示しないローパスフィルタアンプ、コンパレータ６ｄが内蔵された、汎用のＡＳＫ/ＦＳＫ対応の検波ＩＣ（以下、単に検波ＩＣという）が市場に提供されている。
【０００６】
図４（ｂ）は、上記検波ＩＣを用いて図４（ａ）と同一機能をもつＡＳＫ/ＦＳＫ対応の受信装置１００を構成した場合の構成概要図である。同図に示されるように、本受信装置１００ａは、アンテナ１と、ＳＡＷフィルタ２ａを含む高周波入力回路２と、局部発振器４ｃと、ＩＦバンドパスフィルタ５ａと、ディスクリミネータ回路６ｂと、アクティブフィルタによって構成された検波用ローパスフィルタ回路６ｃのＣＲ回路６ｃ１と、検波ＩＣ７と、で構成され、前記検波ＩＣ７の所定の接続端子に前記の他の構成部位が外付けされて受信装置として構成される。
【特許文献１】特開２００２−０３３６９０号公報
【発明の開示】
【発明が解決しようとする課題】
【０００７】
微弱無線あるいは小電力無線局は、小型軽量に構成でき、周波数の使用に免許が不要であるが、一方、電波法で送信出力が低く規定されているため、通信距離を伸ばして使用者の利便性を高めるために受信感度特性の改善が望まれている。
前述のように汎用の検波ＩＣと外付け部品とで構成される受信装置においては、各回路に使用される部品の定数のばらつきによって、回路の特性が劣化して受信感度が低下するという問題があった。
また、ＡＳＫ/ＦＳＫ受信においては、アクティブフィルタによって構成された検波用ローパスフィルタにおけるパルス幅の精度と受信感度との間には、ローパスフィルタの遮断周波数を高くしてパルス幅の精度を改善すると受信感度は低下し、遮断周波数を低くして受信感度をよくするとパルス幅の精度が劣化するというトレードオフの関係にある。そのため、復調したデータのパルス幅を送信データのパルス幅に極力近づけたいという要望に対し、パルス幅精度を重視すると受信感度が低下するという問題があった。
本発明は、上記問題の解決のためになされたものであって、汎用の検波ＩＣを用いた受信感度特性の優れたＡＳＫ/ＦＳＫ対応の受信装置を提供することを目的とする。
【課題を解決するための手段】
【０００８】
上記課題を解決するため、請求項１においては、アンテナと、高周波バンドパスフィルタを含む高周波入力回路と、高周波増幅回路と、局部発振回路を含む周波数変換部と、中間周波バンドパスフィルタと、ＲＳＳＩ回路を備えた中間周波増幅回路と、ディスクリミネータを含む検波回路と、検波用ローパスフィルタと、コンパレータと、で構成されるＡＳＫ/ＦＳＫ対応の受信装置であって、
前記高周波バンドパスフィルタと高周波増幅回路間に可変容量ダイオードを含むキャパシタとインダクタとによって構成されるインピーダンスマッチング回路を備え、且つ、高周波入力回路に一定レベルの信号を加えて前記ＲＳＳＩ回路の出力レベルが最大となるときの前記可変容量ダイオードに印加する制御電圧を記憶したメモリを備えたことを特徴とする。
【０００９】
請求項２においては、請求項１に記載のＡＳＫ/ＦＳＫ対応の受信装置であって、前記ＡＳＫ/ＦＳＫ対応の受信装置の動作開始時に、前記メモリに記憶された制御電圧を前記可変容量ダイオードに印加するよう構成したことを特徴とする。
【００１０】
請求項３においては、アンテナと、高周波バンドパスフィルタを含む高周波入力回路と、高周波増幅回路と、局部発振回路を含む周波数変換部と、中間周波バンドパスフィルタと、ＲＳＳＩ回路を備えた中間周波増幅回路と、ディスクリミネータを含む検波回路と、検波用ローパスフィルタと、コンパレータと、で構成されるＡＳＫ/ＦＳＫ対応の受信装置であって、
前記局部発振回路の発振回路容量成分として可変容量ダイオードを備えたものであって、且つ、高周波入力回路に一定レベルの信号を加えて前記ＲＳＳＩ回路の出力レベルが最大となるときの前記可変容量ダイオードに印加する制御電圧を記憶したメモリを備ええたことを特徴とする。
【００１１】
請求項４においては、請求３に記載のＡＳＫ/ＦＳＫ対応の受信装置であって、前記ＡＳＫ/ＦＳＫ対応の受信装置の動作開始時に、前記メモリに記憶された制御電圧を前記可変容量ダイオードに印加するよう構成したことを特徴とする。
【００１２】
請求項５においては、アンテナと、高周波バンドパスフィルタを含む高周波入力回路と、高周波増幅回路と、局部発振回路を含む周波数変換部と、中間周波バンドパスフィルタと、ＲＳＳＩ回路を備えた中間周波増幅回路と、ディスクリミネータを含む検波回路と、アクティブフィルタで構成される検波用ローパスフィルタと、コンパレータと、で構成されるＡＳＫ/ＦＳＫ対応の受信装置であって、
前記検波用ローパスフィルタを構成するキャパシタのそれぞれに切換器を介して並列接続される他のキャパシタを備え、前記ＲＳＳＩ回路出力レベルが所定のレベルを越えた場合は、前記切換器を閉回路とする駆動電圧を印加して前記のそれぞれの他のキャパシタを接続するように構成したことを特徴とする。
【発明の効果】
【００１３】
請求項１、２の発明においては、検波ＩＣを使用したＡＳＫ/ＦＳＫ対応の受信装置の高周波入力回路の高周波バンドパスフィルタと検波ＩＣの高周波入力回路との間に、バラクタダイオードを含むキャパシタとインダクタとによって構成されるインピーダンスマッチング回路を備え、また、高周波入力回路に一定レベルの信号を加えて中間周波増幅回路のＲＳＳＩ回路の出力レベルが最大となるときの前記バラクタダイオードに印加する制御電圧を記憶したメモリを備えた。
そして、受信装置の動作開始時に、前記メモリに記憶された制御電圧を前記インピーダンスマッチング回路のバラクタダイオードに印加するよう構成した。
これによって、高周波バンドパスフィルタと検波ＩＣの入力回路間のインピダンスミスマッチが補正され、受信装置の受信感度が改善される。
【００１４】
また、請求項３、４の発明においては、検波ＩＣを使用したＡＳＫ/ＦＳＫ対応の受信装置の局部発振器の発振回路容量成分をバラクタダイオードによって構成し、また、高周波入力回路に一定レベルの信号を加えて中間周波増幅回路のＲＳＳＩ回路の出力レベルが最大となるときの前記バラクタダイオードに印加する制御電圧を記憶したメモリを備えた。
そして、受信装置の動作開始時に、前記メモリに記憶された制御電圧を前記局部発振器のバラクタダイオードに印加するよう構成した。
これによって、局部発振器の構成部品あるいは他の回路部品の部品定数のバラツキによって生じる感度最良点とＩＦ受信波の中心周波数とのずれを補正することができる。その結果、受信装置の受信感度を改善することができる。
【００１５】
請求項５の発明においては、検波ＩＣを使用したＡＳＫ/ＦＳＫ対応の受信装置のアクティブフィルタで構成される検波用ローパスフィルタを構成するキャパシタのそれぞれに切換器を介して並列接続される他のキャパシタを備え、前記ＲＳＳＩ回路出力レベルが所定のレベルを越えた場合は、前記切換器を閉回路とする駆動電圧を印加して前記のそれぞれの他のキャパシタを接続して、フィルタの遮断周波数を変化させるように構成した。
これによって、受信電界強度が強いときはフィルタの遮断周波数を上げて、受信感度よりもパルス幅の精度を改善することができる。
また、受信電界強度が弱いときはフィルタの遮断周波数を下げて、受信感度を上げるように変更できる。
したがって、本発明の受信装置によれば、優れた受信感度特性を持ったＡＳＫ/ＦＳＫ対応の受信装置を提供する上で著効を奏する。
【発明を実施するための最良の形態】
【００１６】
本発明を図面に示した実施の形態に基づいて説明する。図１は、本発明に係わる微弱無線あるいは小電力無線局によるＡＳＫ/ＦＳＫ対応の受信装置の実施の一形態例を示す構成概要図である。
同図に示すように、本受信装置１１０は、アンテナ１と、ＳＡＷフィルタ２ａを含む高周波入力回路２０と、局部発振器４ｃと、バンドパスフィルタ５ａと、ディスクリミネータ回路６ｂと、図示しない検波用ローパスフィルタ回路のＣＲ回路６ｃ１と、ＡＳＫ/ＦＳＫ対応の検波ＩＣ（以下、単に検波ＩＣという）７と、レベル検出回路８と、メモリ９と、で構成される。
そして、本受信装置１１０は、図４に示す従来の受信装置１００における高周波入力回路２を前記高周波入力回路２０に置き換え、さらに前記検波ＩＣ７のＲＳＳＩ-ＯＵＴ端子と高周波入力回路２０間に前記レベル検出回路８とメモリ９とを接続した回路構成を有するものである。また、前記検波ＩＣ７は、図４の検波ＩＣ７と同一の検波ＩＣが用いられている。
本受信装置１１０の復調動作は、前記高周波入力回路２０、レベル検出回路８及びメモリ９の動作を除いて、図４の受信装置１００の受信動作と同一であるので、共通部分の動作の説明は省略する。
【００１７】
図１に示されるように、本受信装置１１０の高周波入力回路２０は、ＳＡＷバンドパスフィルタ２ａと、キャパシタＣ１とインダクタＬ１とから成るＳＡＷバンドパスフィルタ２ａとアンテナ１間のインピダンスマッチング回路と、バラクタダイオード（可変容量ダイオード）ＶＣ１とインダクタンスＬ２とキャパシタＣ２とから成るＳＡＷバンドパスフィルタ２ａと検波ＩＣ７に内蔵された図示しない高周波増幅回路間のインピダンスマッチング回路と、で構成される。
前記バラクタダイオードＶＣ１には抵抗Ｒ１を介して、前記メモリ９より制御電圧が印加される。
【００１８】
前記レベル検出回路８は、図示しない中間周波増幅部のＲＳＳＩ-ＯＵＴ端子に接続されて受信装置のＲＳＳＩ出力レベルを検出する。
上記の構成の受信装置１１０の使用に先立って、アンテナ入力回路端より一定レベルの高周波信号を入力した状態で、レベル検出回路８でＲＳＳＩ出力レベルをモニタしつつバラクタダイオードＶＣ１に印加する制御電圧を変化させて、前記ＲＳＳＩ回路出力レベルが最大となる制御電圧を前記メモリ９に記憶させる。
そして、本受信装置１１０の動作開始と同時に、前記メモリ９に記憶された制御電圧が、抵抗Ｒ１を介して前記バラクタダイオードＶＣ１に印加されて所望の容量値となる。
これによって、ＳＡＷフィルタ２ａと検波ＩＣ７入力回路間のインピダンスミスマッチが補正され、本受信装置１１０の受信感度が改善される。
【００１９】
図２は、本発明に係わる微弱無線あるいは小電力無線局によるＡＳＫ/ＦＳＫ対応の受信装置の実施の第２の形態例を示す構成概要図である。
同図に示すように、本受信装置１２０は、アンテナ１と、ＳＡＷフィルタ２ａを含む高周波入力回路２と、局部発振器４０と、バンドパスフィルタ５ａと、ディスクリミネータ回路６ｂと、図示しない検波用ローパスフィルタ回路のＣＲ回路６ｃ１と、検波ＩＣ７と、レベル検出回路８ａと、メモリ９ａと、で構成される。
そして、本受信装置１２０は、図４に示す従来の受信装置１０における局部発振器４ｃを前記局部発振器４０に置き換え、さらに前記検波ＩＣ７のＲＳＳＩ-ＯＵＴ端子と局部発振器４０間に前記レベル検出回路８ａとメモリ９ａとを接続した回路構成を有するものである。また、前記検波ＩＣ７は、図４の検波ＩＣ７と同一の検波ＩＣが用いられている。
本受信装置１２０の復調動作は、前記局部発振器４０、レベル検出回路８ａ及びメモリ９ａの動作を除いて、図４の受信装置１００の受信動作と同一であるので、共通部分の動作の説明は省略する。
【００２０】
図２に示されるように、本受信装置１２０の局部発振器４０は、圧電振動子Ｘ１と、バラクタダイオードＶＣ２と、増幅回路４１と、で構成され、前記バラクタダイオードＶＣ２には抵抗Ｒ２を介して前記メモリ９ａに接続される。
この局部発振器４０は、メモリ９ａより印加される制御電圧によって制御されるバラクタダイオードＶＣ２の容量を発振回路の容量成分として、圧電振動子Ｘ１の振動を増幅回路４１において継続して発振出力する。
【００２１】
前記レベル検出回路８ａは、検波ＩＣ７に内蔵された図示しない中間周波増幅部のＲＳＳＩ-ＯＵＴ端子に接続されて受信装置のＲＳＳＩ出力レベルを検出する。
上記の構成の受信装置１２０の使用に先立って、アンテナ入力回路端より一定レベルの高周波信号を入力した状態で、レベル検出回路８ａでＲＳＳＩ出力レベルをモニタしつつ局部発振器４０のバラクタダイオードＶＣ２に印加する制御電圧を変化させ、前記ＲＳＳＩ回路出力レベルが最大となる制御電圧を前記メモリ９ａに記憶させる。
そして、本受信装置１２０の動作開始と同時に、前記メモリ９ａに記憶された制御電圧が、抵抗Ｒ２を介して前記バラクタダイオードＶＣ２に印加され、バラクタダイオードＶＣ２の容量が所望の容量値となる。
【００２２】
このように構成することによって、局部発振器４０の構成部品あるいは他の回路部品の部品定数のバラツキによって生じる感度最良点とＩＦ受信波の中心周波数とのずれを補正することができる。その結果、本受信装置１２０の受信感度を改善することができる。
【００２３】
図３は、本発明に係わる微弱無線あるいは小電力無線局によるＡＳＫ/ＦＳＫ対応の受信装置の実施の第３の形態例を示す構成概要図である。
同図（ａ）に示すように、本受信装置１３０は、アンテナ１と、ＳＡＷフィルタ２ａを含む高周波入力回路２と、局部発振器４ｃと、バンドパスフィルタ５ａと、ディスクリミネータ回路６ｂと、図示しない検波用ローパスフィルタ回路のＣＲ回路６ｃ１０と、検波ＩＣ７と、レベル検出回路８ｃと、駆動部１０と、で構成される。
そして、本受信装置１３０は、図４に示す従来の受信装置１００における検波用ローパスフィルタ回路のＲＣ回路６ｃ１を前記ＣＲ回路６ｃ１０に置き換え、さらに前記検波ＩＣ７のＲＳＳＩ-ＯＵＴ端子とＲＣ回路６ｃ１０間に前記レベル検出回路８ｃと駆動部１０とを接続した回路構成を有するものである。また、前記検波ＩＣ７は、図４の検波ＩＣ７と同一の検波ＩＣが用いられている。
本受信装置１３０の復調動作は、前記ＣＲ回路６ｃ１０と検波ＩＣ７に内蔵されたローパスフィルタアンプとで構成される検波用ローパスフィルタ回路と、レベル検出回路８ｃと、駆動部１０と、の動作を除いて、図４の受信装置１００の受信動作と同一であるので、共通部分の動作の説明は省略する。
【００２４】
同図（ｂ）は、前記ＣＲ回路６ｃ１０と検波ＩＣ７に内蔵されたローパスフィルタアンプとで構成される検波用ローパスフィルタ回路の回路構成例を示す図である。
同図に示されるように、本受信装置１３０の検波用ローパスフィルタ回路は、検波ＩＣ７に内蔵されたバッファアンプ６Ｃ２と、抵抗Ｒ２１、Ｒ２２、Ｒ２３と、キャパシタＣ２１、Ｃ２２、Ｃ２３と、前記キャパシタＣ２１に切換器ＳＷ２１を介して並列接続されたキャパシタＣ２１ａと、以下同様に前記キャパシタＣ２２、Ｃ２３にそれぞれ切換器ＳＷ２２、ＳＷ２３を介して並列接続されたキャパシタＣ２２ａ、Ｃ２３ａとより成るＲＣ回路６ｃ１０と、で構成される３次のバタワース型ローパスフィルタ回路である。
そして、前記切換器ＳＷ２１〜ＳＷ２３は前記駆動部１０に接続され、その駆動電圧によって動作する。
【００２５】
本受信装置１３０は、必要な受信感度を維持しながら、復調データのパルス幅を送信データのパルス幅に極力近づけたいという要望に対して構成された受信装置である。
上記構成において、前記レベル検出回路８ｂでは、常時ＲＳＳＩ出力レベルをモニタし、前記レベル検出回路８ｂでの検出レベルが所定のレベル以下の場合は、駆動部１０は動作せず、各切換器ＳＷ２１、ＳＷ２２、ＳＷ２３は開回路となり、３次のバタワース型ローパスフィルタ回路の基本回路を形成する。
また、受信電界強度が強く、前記レベル検出回路８ｂにおけるＲＳＳＩ出力検出レベルが所定のレベル以上ある場合は、駆動部１０より切換器ＳＷ２１、ＳＷ２２、ＳＷ２３に駆動電圧が出力されて、各切換器は閉回路となる。そのため、キャパシタＣ２１にはキャパシタＣ２１ａが、キャパシタＣ２２にはキャパシタＣ２２ａが、キャパシタＣ２３にはキャパシタＣ２１ａが、それぞれ並列接続される。
その結果、検波用ローパスフィルタ回路の遮断周波数が大となって、受信装置１３０の受信感度は低下するが、パルス幅の精度は改善されされる。
このように構成することによって、所定の受信感度を維持しつつ、復調データのパルス幅の精度を向上することができる。
【図面の簡単な説明】
【００２６】
【図１】本発明に係わる微弱無線あるいは小電力無線局によるＡＳＫ/ＦＳＫ対応の受信装置の実施の第１の形態例を示す構成概要図。
【図２】本発明に係わる微弱無線あるいは小電力無線局によるＡＳＫ/ＦＳＫ対応の受信装置の実施の第２の形態例を示す構成概要図。
【図３】本発明に係わる微弱無線あるいは小電力無線局によるＡＳＫ/ＦＳＫ対応の受信装置の実施の第３の形態例を示す図で、（ａ）は、構成概要図、（ｂ）は、（ａ）における検波用ローパスフィルタの実施例を示す回路構成図。
【図４】従来の微弱無線あるいは小電力無線局によるＡＳＫ/ＦＳＫ対応の受信装置の一例を示す図で、（ａ）は、構成概要図、（ｂ）は、（ａ）の回路構成を汎用のＡＳＫ/ＦＳＫ対応の検波ＩＣを用いて構成した構成概要図。
【符号の説明】
【００２７】
１・・アンテナ、２・・高周波入力回路、２ａ・・ＳＡＷフィルタ、３・・高周波増幅回路、
４・・周波数変換部、  ４ａ・・ミキサ、  ４ｂ・・周波数逓倍部、  ４ｃ・・局部発振器、
５・・ＩＦ増幅部、  ５ａ・・ＩＦバンドパスフィルタ、  ５ｂ・・ＩＦリミッタアンプ、
５ｃ・・ＲＳＳＩ回路、      ６・・検波出力部、      ６ａ・・検波部、
６ｂ・・ディスクリミネータ回路、    ６ｃ・・検波用ローパスフィルタ、
６ｃ１、６ｃ１０・・検波用ローパスフィルタ回路のＣＲ回路、
６ｃ２・・ローパスフィルタアンプ、    ６ｄ・・コンパレータ、
７・・ＡＳＫ/ＦＳＫ対応の検波ＩＣ、   ８、８ａ、８ｂ・・レベル検出回路、
９、９ａ・・メモリ、１０・・駆動部、
２０・・高周波入力回路、４０・・局部発振器、４１・・増幅回路、
１００、１００ａ、１１０、１２０、１３０・・ＡＳＫ/ＦＳＫ受信装置、
Ｃ１、Ｃ２、Ｃ２１、Ｃ２１ａ、Ｃ２２、Ｃ２２ａ、Ｃ２３、Ｃ２３ａ・・キャパシタ、
Ｌ１、Ｌ２・・インダクタ、    Ｒ１、Ｒ２、Ｒ２１、Ｒ２２、Ｒ２３・・抵抗、
ＳＷ２１、ＳＷ２２、ＳＷ２３・・切換器、    ＶＣ１、ＶＣ２・・バラクタダイオード、
Ｘ１・・圧電振動子
【図１】
2006217020.tif 000003
【図２】
2006217020.tif 000004
【図３】
2006217020.tif 000005
【図４】
2006217020.tif 000006